(57)【要約】【課題】強力な切断力を発揮し、かつ、小型で狭い場所でも使用可能で、格納場所も小さくてすむ。【解決手段】テコレバーを複数段にしたハサミを折り返した構成とする。【選択図】図２
2020188835.tif 000002
【特許請求の範囲】
【請求項１】
テコレバーを複数段にしたハサミに於いて、アームや刃の支点で折り返しアームを設け、全体を小型化したことを特徴とする小型超強力ハサミ
【請求項２】
請求項１のハサミに於いて、刃を手前方向、先方方向、側方向、とする事を特徴とする小型超強力ハサミ
【請求項３】
請求項１のハサミに於いて、アームや刃の支点で折り返しアームを設け、一部又は全体の回転軸を共有し、全体を小型化したことを特徴とする小型超強力ハサミ。
【請求項４】
請求項１のハサミに於いて、刃と人を防護する防護突起を設けたことを特徴とする小型超強力ハサミ
【請求項５】
請求項１のハサミに於いて、加力アームの中間内側に折返しアームを設け、回転軸を共有しない事を特徴とする小型超強力ハサミ
【請求項６】
請求項１のハサミに於いて、刃の代わりにペンチ、ストリッパ及びレンチのうち少なくとも１つを設けたことを特徴とする小型超強力具
【発明の詳細な説明】
【技術分野】
【０００１】
本発明は、小型で強力なハサミに関する。
【背景技術】
【０００２】
図１は、本発明者の発明したテコレバーを複数段にしたハサミである（特願２０１３−２４９１１１）。
このような多段式ハサミによれば小さい力で強い切断力を発揮することができる。図1  に於いて  （Ｌ１／ｌ１）ｎ倍（ただし、ｎは段数、Ｌ1は力を加える側の長さ、ｌ１は加わる側の長さ）強力になる。
【発明の概要】
【発明が解決しようとする課題】
【０００３】
しかしながら本発明者の特願２０１３−２４９１１１多段式ハサミ（図１）においては、段数ｎが増えると、取っ手から刃先までの長さ（図1のＬ）が長くなり、形態が大きくなり、狭い場所で使用することが困難な場合があった。
【０００４】
本発明は、以上のような事情に鑑みなされたものであり、小さい力で強い切断力を発揮することができる多段式ハサミでありながら、小型化出来る小型超強力ハサミの提供を目的とする。  
【課題を解決するための手段】
【０００５】
上記目的を達成するため、本発明の小型超強力ハサミは、多段式ハサミの支点から折返したり回転軸を共通にしたりして解決する。
【発明の効果】
【０００６】
本発明によれば、多段式で増力するハサミの全体形を小さく出来る事、使用時に全体長が伸びないので使用しやすい事、刃先を守れる事、使用時に安全な事。小さい力で強い切断力を発揮出来る事。小型に出来るので狭い場所でも使用することが出来る事。収納も場所もとらない事。側方でも切断出来る事。外ハサミ、内ハサミのどちらかを使える、または内外同時に使う新しい用途が拓ける事、強力ストリッパ、プライヤ、ペンチ、レンチ等としても使用出来る事、など多大な効果がある。
【図面の簡単な説明】
【０００７】
【図１】本発明者が発明したテコレバーを複数段にしたハサミを示す図である。
【図２】図1を更に改善した発明である本発明の第１実施形態に係る小型超強力ハサミを示す図である。
【図３】本発明の第１実施形態に係る小型超強力ハサミを示す分解図である。
【図４】本発明の第２実施形態に係る小型超強力ハサミを示す図である。
【図５】本発明の第２実施形態に係る小型超強力ハサミを示す分解図である。
【図６】本発明の第３実施形態に係る小型超強力ハサミを示す図である。
【図７】本発明の第３実施形態に係る小型超強力ハサミを示す分解図である。
【図８】本発明の第４実施形態に係る小型超強力ハサミを示す図である。
【図９】本発明の第４実施形態に係る小型超強力ハサミを示す分解図である。
【図１０】本発明の第５実施形態に係る小型超強力ハサミを示す分解図である。
【図１１】本発明の第５の実施形態に係る小型超強力ハサミを示す分解図である。
【図１２】本発明の第６実施形態に係る小型超強力ハサミを示す図である。
【図１３】本発明の第６実施形態の分解図である。
【図１４】本発明の第７実施形態の図である。
【図１５】本発明の第７実施形態の分解図である。
【図１６】本発明の第８実施形態を示す。
【図１７】本発明の第９実施形態の分解部品図である。
【図１８】本発明の第９実施形態に係る小型超強力ハサミを示す図である
【図１９】本発明の第９実施形態に係る小型超強力ハサミを示す。
【図２０】本発明の第１０実施形態を示す図。
【図２１】本発明の第１０実施形態の部品分解図である。
【図２２】本発明の第１２実施形態を示す。
【図２３】本発明の第１２実施形態の分解図である。
【図２４】本発明の第１３実施形態を示す図である。
【図２５】本発明の第１４実施形態を示す。
【図２６】本発明の第１５実施形態を示す。
【発明を実施するための形態】
【０００８】
本発明の小型超強力ハサミについて、図面を参照しながら説明する。
【０００９】
図１は本出願人の発明した特願２０１３−２４９１１１の多段式ハサミである。
１、       ２は取っ手である。取っ手１、２は、同じ大きさでも異なる大き
さでもよい。４、５は前記取っ手１、２を設けた加力アームである。３は、加力アーム４と加力アーム５とが結合される第１の中心回転支点
（回転軸）である。これら取っ手１、２の他端側は取っ手１、２により回転力が伝達される回転力伝達機構となっている。具体的には、７が取っ手１側の回転力伝達機構、８が取っ手２側の回転力伝達機構である。
９は回転力伝達機構７の先端部に設けられた回転支点、１０は回転伝達機構８の先端部に設けられた回転支点である。１１は回転支点９と接続される回転力伝達機構、１２は回転支点１０と接続される回転力伝達機構（以下、伝達機構ともいう）である。
１３は伝達機構１１と伝達機構１２とが結合される第２の中心回転支点である。１４，１５はハサミの刃である。刃１４は第２の中心回転支点１３を介して伝達機構１１の開放端側に設けられ、刃１５は同じく第２の中心回転支点１３を介して伝達機構１２の開放端側に設けられる。このように構成されたハサミの動作を説明すれば、以下の通りである。
取っ手１，２を開閉すると、その回転力は第１の中心回転支点３を介
して伝達機構７，８に伝わる。伝達機構７，８は開閉動作を行いこの
開閉動作は回転支点９，１０を介して伝達機構１１，１２に伝わる。
この結果、取っ手１，２が開閉動作を行うと、伝達機構１１，１２も開
閉動作を行う。
この開閉動作は第２の回転支点１３を介して刃１４，１５に伝わる。
刃１４，１５は開閉動作を行い、強力に金属板を裁断したり、太い木の
枝を切断出来る。
【００１０】
この時のハサミの切断力について説明する。
通常のハサミは、段数が１段（中心回転支点が１つ）である（図示省略）。
図１に示すように、段数が２段の場合（２個の中心回転支点３，１３を備えるハサミ）の切断力は、通常のハサミの２乗になる。
すなわち、Ｎ段（中心回転支点がＮ個のハサミ）の切断力は、通常のハサミのＮ乗になる（Ｎは整数）。
これは、「てこ」の原理により容易に推測することができる。即ち、物を動かす時に要する力を加える時に、支点と力を加える部分間の距離を長くすれば、必要な力はこの距離に比例して大きくなる。
力を加える側の長さをＸ、加わる側の長さをＹとすれば、レバーアクションはＸ／Ｙである。これをＮ段とすれば増力構造は（Ｘ／Ｙ）Ｎと強力になる。ハサミの段数を増やせば力がＮ乗となり、それだけ切断力を強くすることができるのが本発明者が発明した発明の基本理論である。
【００１１】
本発明はこの基本理論に基づき、図１の本発明者の発明を小型化しようとするものである。
［第１実施形態］
本発明の第１実施形態に係る小型超強力ハサミについて図１、図２及び図３を参照しながら説明する。
図２は、本発明の小型超強力ハサミ第一実施例で、中心回転支点３の先にアーム７、８を介して次の回転軸９、１０があり、これは折返し支点となり、アーム１１、１２を折返して再び前記中心回転支点３を介して刃１４，１５が設けられおり、ハンドルとハンドルとの間に空間（ハンドル空間という）に刃１４、１５を設けた形状としている。
図２を分解すると図３に示すように、本発明第一実施例の小型超強力ハサミは、４つの部品と止めネジによって構成され、これらの部品を、中心回転支点３の部分を重ねて結合するとともに、回転支点９，１０の部分を重ねて結合することで完成する。結合にはネジ等を用いる。
本発明小型超強力ハサミは、取っ手１，２（ハンドル）を閉じると、中心回転支点３を回転軸として伝達機構７，８が回転し、中心回転支点３を回転軸として伝達機構１１，１２が回転し、当該回転により刃１４，１５が内側に閉じるように回転する。
これにより、ハンドル空間にある切断対象物（布など）を、刃１４，１５によって〔００１０〕の本発明理論により、強力に切断することができる。
【００１２】
本発明小型超強力ハサミは、図１に示す多段式ハサミにおいて、回転軸３からアーム７，８を径て回転軸９，１０に至り、折り返して伝達機構１１，１２との中心回転支点３を再び使って刃１４，１５で切る構造としている。
これにより、本発明小型超強力ハサミは、回転軸である中心回転支点を１つに集約し共通化して、小型化している事が特徴である。
従って、ハサミ全体の長さを、伝達機構１１，１２及び刃１４，１５の分だけ短くすることができる。
さらに、本発明者発明の第１図の多段式ハサミの場合、取っ手１，２を開閉すると刃１４，１５の部分が延びるが、本発明の小型超強力ハサミではそのようなことがない。
そして第１図のハサミと同様に、小さい力で強力な切断力を発揮することができる。
図２に示す小型超強力ハサミは、２つの中心回転支点を１つに共通化しているため、小型になるので図１の多段式ハサミと同等の切断力を発揮することができる。
したがって、本発明の小型超強力ハサミによれば、小型で強い切断力を発揮し、かつ、動作時に、はさみ全体の長さが伸びないので狭い場所での使用や狭い場所でも格納することができるし、更に刃部分１４，１５を１，２でプロテクトする事が出来るので安全性が増大する。
【００１３】
［第２実施形態］
図４及び図５は、本発明の第２実施形態に係る小型超強力ハサミである。
図４に示すように、第２実施形態の小型超強力ハサミは、第１実施形態の小型超強力ハサミを更にもう一段強力にしたものである。そして刃１４，１５の向きも外側に向く点において異なる。
第２実施形態の小型超強力ハサミは、図５の分解図に示すように６つの部品と、止め金（ネジ）によって構成され、これらの部品を、回転支点９，１０の部分を重ねて結合し、
折り返し、中心回転支点３の部分で重ねて結合し、さらに回転支点１８，１９の部分で重ねて結合し、ここで再度折り返し、再び中央回転支点３に戻り、刃１４，１５を動作させる。
第２実施形態の小型超強力ハサミは、取っ手１，２を開閉すると、中心回転支点３を回転軸としてアーム７，８が開閉し、支点９，１０で折り返して結合させたアーム１１，１２が中央回転軸３を中心に回転し、アーム１１，１２の端にある支点１８，１９で折り返されたアーム１６，１７は再び中央回転軸３に戻って、刃１４，１５を開閉する三段式の実施例である。これを繰り返して四段五段…N段も本発明に含まれる。
これにより、刃１４と刃１５の間にある切断対象物を、小型であるが強力に切断することができる。また刃先１４，１５がアーム７，８でプロテクトされるので刃１４，１５が傷まず、また、刃が外へ突出していないので使用上も安全である効果がある。
【００１４】
第４図の小型超強力ハサミは、３段の多段式ハサミにおける３つの中心回転支点を１つに集約して共通化したものである。
このため、切断力は３段の多段式ハサミと同じでありながら、ハサミ全体の長さを、短くすることができる。
第２実施形態の小型超強力ハサミは、３段の多段式ハサミと同等の切断力を有するため、２段の多段式ハサミと同等の切断力を有する第２図の第１実施形態よりも切断力が強く、長さは、第１実施形態の小型超強力ハサミと同等である。
また、第１実施形態と同様、取っ手１，２を閉じても、多段式ハサミのように刃１４，１５が外側に延びることがないので、使用時にかさばらない効果がある。
したがって、第２実施形態の小型超強力ハサミによれば、さらに強い切断力を発揮し、かつ、狭い場所でも使用することができる。
【００１５】
［第３実施形態］
本発明の第３実施形態に係る小型超強力ハサミについて図６及び図７を参照しながら説明する。
この第３実施形態は図４、図５の第２実施形態よりも更に使用時や保管時の安全性を高めたものである。
即ち図４、図５の７、８の先端部分と異なり、図６、図７に示す如く、７，８の先端部分を、半円形の防護突起２４，２５としたものである。７，８では
１１，１２の先端を半円形型にふくらませて、防護突起にしてもよい。刃１４，１５を閉じる時に両者合体して円形となり刃先が尖った状態でなく、安全に手渡しや格納が出来る効果がある。
又、ハサミを使用中も安全度が向上する。
【００１６】
［第４実施形態］
図８及び図９に示すように、第４実施形態の小型超強力ハサミは、内側の刃１４，１５と外側の刃２０，２１の両方を設けたものである。
第４実施形態の小型超強力ハサミは取っ手１，２を開閉すると中心回転支点３を中心にアーム７,８が開閉し、支点９，１０で折り返してアーム１１，１２が中心回転する支点３を再び使用して開閉する。
折返しアーム１１，１２の基端に内向きの刃２０，２１を設け、アーム１１，１２の先端に逆向きに（外向きに）刃１４，１５を設ける（図９の分解図参照）。
従って取っ手１，２を開閉すると外刃２０，２１と内刃１４，１５が共に開閉する。従って使用者は外ハサミ、内ハサミどちらか好きな方を使えるし、同時に両方を使う用途へも拡がる。
【００１７】
〔第５実施形態〕
第５実施例の出来上がった状態は図８と似ているが、異なるハサミを外と内の２ケ所に設けるが、部品と構成が第４実施例と異なる。図１０は本発明の第５実施形態、図１１はその部品分解図を示す。
第５実施形態の小型超強力ハサミは、取っ手１，２を開閉すると、中心回転支点３を中心にアーム７，８に設けた刃２０，２１が開閉し、支点９，１０で折り返して中心回転支点３を中心にアーム１１，１２が開閉し、当該開閉により、刃１４，１５が中心回転支点３を中心に開閉するとともに刃２０，２１が内側に閉じるように回転する。アーム７，８にそれぞれ刃２０，２１を設けた事が第５実施例の特徴である。
これにより、刃１４と刃１５の間にある切断対象物を刃１４，１５によって切断可能と共に、刃２０と刃２１の間にある切断対象物を刃２０，２１によって切断することができる。
つまり、ハサミの手前側において切断対象物を切断すると同時又は別々にハサミの先側において切断対象物を切断することができる。
第４と第５実施形態の小型超強力ハサミは、２段の多段式ハサミにおける中心回転支点を１つに共通化したものであるため、第１実施形態の小型超強力ハサミと同様の効果に加え、ハサミの内側でも外側でも切れるという大きな効果を有する。
【００１８】
［第６実施形態］
本発明の第６実施形態に係る小型超強力ハサミについて図１２及びその分解図１３を参照しながら説明する。
図１２及び図１３に示すように、第６実施形態の小型超強力ハサミは、アーム１１，１２と刃２２，２３の角度をほぼＬ字状に形成することで、刃２２，２３を横側（図において上側）に配置する本発明実施例である。
第６実施形態の小型超強力ハサミは、取っ手１，２を開閉すると、中心回転支点３を中心にアーム７，８が開閉し、支点９，１０で折り返したアーム１１，１２が中心回転支点３を中心に開閉し、前記アーム１１，１２とL型状に一体化された刃２２，２３が開閉する。
これにより、刃２２と刃２３の間にある切断対象物を刃２２，２３によって切断することができる。
つまり、ハサミの横側にある切断対象物を強力に切断することができるので、ケーブル切断など横方向にある切断物を強力に切断出来るなど大きな効果がある。
【００１９】
〔第７実施形態〕
本発明の第７実施例を第１４図に示す。
本実施例は第１２図に示した第６実施例のL型刃２２，２３に加え、外側（図で右側）にも刃２０，２１を設けたものである。但し、このＬ型刃は第６実施例と逆重ねにした実施例だが、このＬ型刃を第６実施例と同じにしてもよい。取っ手１，２を開閉する事により側方（図で上方の刃２２，２３と前方の刃（図で右）２０，２１がそれぞれ開閉して対象物を切断できる。これを部品として分解すると図１５のアーム７，８に刃２０，２１を加えたものである。
【００２０】
〔図８実施形態〕
本発明の第８実施例を図１６、図１７に示す。一見第１４図と似ているが異なるもので、図１７の如く、部品が第７実施例と異なり、図に示す如く、刃２０，２１をアーム１１，１２に設け、且つL型に刃３０，３１を設けたものである。取っ手１，２を開閉する事により、側方（図で上）の刃３０，３１と前方（図で右）の刃２０，２１が動作してそれぞれの位置にある対象物を切断できる。
【００２１】
〔第９の実施形態〕
本発明の第９実施形態を第１８図及び１９図に示す。
本第９実施形態は前記迄の実施形態の前にもう一段レバー機構を入れて、更に強力にしたものである。
即ち、本実施形態第９は、図１の一段目、即ち１，２，３，４，５，７，８，９，１０，二段目１１，１２，１３，１４，１５はほぼそのままの形状、但し１４，１５に、刃は設けず図１８の如く、１４，１５の先端に支点９，１０を設ける。
支点９，１０に折り返してアーム１１，１２を設け、第２の中心回転軸１３を経て、その他端に支点１８，１９を設け、ここに再更折り返しアーム１６，１７がつながる。アーム１６，１７は中央回転軸１３を中心に振揺転し、刃１４，１５が開閉して、物を切断する。図１９はその分解図を示す。
【００２２】
〔第１０実施形態〕
本発明の第１０実施形態を図２０で示す。その分解図を図２１で示す。第１０実施形態は第９実施形態の１１，１２に刃１４，１５を設けたものに支点９、１０を設けて、それから折り返して、レバー２０，２１を設け、ここにＬ型刃２２、２３を設けたものである。または、本発明第９実施例の刃１４，１５にさらにＬ型刃２２，２３を側方（図で上方）に設けたのが本発明第１０実施例である。
【００２３】
〔第１１実施形態〕
本発明第１１実施例は第９実施例や第１0実施例に於いて第１段レバー機構（１，２，３，７，８，９，１０）を、２段，３段…n段とし、その先に折り返し部を設けたものが本発明の第１１実施例である。
【００２４】
［第１２実施形態］
図２２は本発明の第１２実施形態を示す。
本実施形態は図１に於いて、１，２，３，４，５以内で折返すというものである。これによりさらにコンパクト化出来る。これを図２２で説明すると、加力アーム４，５の中間にアーム中間支点３０，３１を設け、ここに二段目折返しアーム１１、１２を設け、第二回転支点１３により刃１４，１５を開閉する。取手１，２を加力すると、回転中心３と取手の中間に、例えば４対１に３０，３１を配置すると、レバーアクションにより３０，３１は４倍の強い力が加わり刃１４，１５に強力が与えられる。しかも全体がアーム４，５内に収められ、コンパクトであり、又、刃１４，１５が内側に収められているので安全であるという大きな効果がある。
第１２実施形態の分解図は図２３で示す。
【００２５】
［第１３実施形態］
図２４は本発明の第１３実施形態を示す。
これは図２２の加力アーム４，５の先に刃２０，２１を設けたもので、強度の異なる二つのハサミ（１４，１５と２０，２１）を一個内に設け、これを任意に選んで使用出来る効果がある。
【００２６】
［第１４実施形態］
本発明は前記刃１４，１５，２０，２１，２２，２３を刃ではなく、ストリッパやペンチやレンチとするのが、本発明第１４実施形態である。
例えば本発明第２０図を２５図の如く本発明第１４実施形態としたものである。
ここで、４０，４１はワイヤ被覆を除去するストリッパ、５０，５１はパイプ等を潰せるペンチ、６０，６１はボルト等を締めたりするレンチである。本発明を使用するには、先ず強力刃１４，１５で電線を切断し、次に電線をストリッパ４０，４１に挟んで電線を引いて、電線の被覆を取り去り電線を裸にして接合出来る。又、電線をパイプに入れ、パイプをペンチ５０，５１に挟んで末端を潰したり、ボルトをレンチ６０，６１に挟んで固定又は回転させたり、またはパイプを刃１４，１５に挟んで、切断することが出来る。
【００２７】
［第１5実施形態］
第１５実施形態の小型超強力ハサミは、第１から第１４実施形態の小型超強力ハサミの開閉を人力でなくモータやソレノイドや油圧で作動させるもので、ソレノイドコイル７１と磁心７０による一例を図２６（A）に示す。図２６（B）は中央回転軸３にモータ７２を設けた実施例である（モータやソレノイドや油圧によるメカは公知技術であるので特に詳しくは図示しない）。
第１５実施形態の小型超強力ハサミによれば、ハサミをモータやソレノイドや油圧により駆動させることができるので、人力より更に強力な切断力を発揮することができる。
例えば、厚い金属板などを切断・裁断することができる効果を発揮する。
【００２８】
本発明は上記の詳細に限るものでは無く、本発明思想を含むものは本発明の範囲である。例えば、基本理論に基づいた、第１段の加力アーム側をＸ１、伝達機構側をＹ２の長さ、第ｎ段も同様にＸｎ，Ｙｎとすると、Ｘ１／Ｙ１＝Ｘｎ／Ｙｎ（ｎ＝２，３・・・）となすように、テコレバーおよび折返しアームを設計可能な範囲で任意の長さに設定し、回転軸を分離させた場合も本発明に含まれる。
【産業上の利用可能性】
【００２９】
本発明は小型であるのに、少ない力で強力に切断できるので、従来切断されないものを切断出来る事、作業に場所をとらないので狭い場所でも作業が出来る事、小型なので収納に場所を取らない事、使用上安全であること、切断のみならず被覆除去、圧迫などの機能を持たせる事が出来る事、被覆の刃やペンチ、ストリッパなど複数の機能を一台で出来る事、など業務用ハサミ、園芸ハサミ、工業用ハサミ等の各種のハサミに適用され産業上の利用可能性大である。
【符号の説明】
【００３０】
１，２  取っ手
３  中心回転支点
４， ５  加力アーム
７，８  受力アーム
９，１０，１８，１９  伝達回転支点
１１，１２  ２段目アーム
１３  第二回転支点
１４，１５，２０，２１２２，２３  刃
１６，１７  再再折返しアーム
２４，２５  防護突起
３０，３１  アーム中間支点
４０，４１  ストリッパ
５０，５１  ペンチ
６０，６１  レンチ
７０    ソレノイド  磁心
７１    ソレノイドコイル
７２    モータ
【図１】
2020188835.tif 000003
【図２】
2020188835.tif 000004
【図３】
2020188835.tif 000005
【図４】
2020188835.tif 000006
【図５】
2020188835.tif 000007
【図６】
2020188835.tif 000008
【図７】
2020188835.tif 000009
【図８】
2020188835.tif 000010
【図９】
2020188835.tif 000011
【図１０】
2020188835.tif 000012
【図１１】
2020188835.tif 000013
【図１２】
2020188835.tif 000014
【図１３】
2020188835.tif 000015
【図１４】
2020188835.tif 000016
【図１５】
2020188835.tif 000017
【図１６】
2020188835.tif 000018
【図１７】
2020188835.tif 000019
【図１８】
2020188835.tif 000020
【図１９】
2020188835.tif 000021
【図２０】
2020188835.tif 000022
【図２１】
2020188835.tif 000023
【図２２】
2020188835.tif 000024
【図２３】
2020188835.tif 000025
【図２４】
2020188835.tif 000026
【図２５】
2020188835.tif 000027
【図２６】
2020188835.tif 000028